(57)【要約】【課題】本発明は、コア部の大型化を抑制した上で、簡便な構成でコア部の放熱性を向上させることの可能なリアクタ及び室外機を提供することを目的とする。【解決手段】通電時に磁束を発生させるコイル部３３と、コイル部３３の一部を収容する収容部が形成されたコア部３１と、を備え、コア部３１の外形は、正面視した状態で４つの角部を有する矩形とされており、コア部３１のうち、磁束を構成する最大磁束密度の４０％以下の磁束密度が発生する領域Ｂ１，Ｂ２，Ｃ１，Ｃ２に第１の貫通孔３９〜４２を形成する。【選択図】図２
2020068346.tif 000002
【特許請求の範囲】
【請求項１】
収容部が形成されたコア部と、
前記収容部に一部が収容され、通電時において前記コア部に磁束を発生させるコイル部と、
を備え、
前記コア部の外形は、正面視した状態で４つの角部を有する矩形とされており、
前記コア部には、前記磁束を構成する最大磁束密度の４０％以下の磁束密度が発生する領域を貫通する貫通孔が形成されているリアクタ。
【請求項２】
前記貫通孔は、空気が流れる方向に延びている請求項１記載のリアクタ。
【請求項３】
前記貫通孔の内側には、複数の凹凸が形成されている請求項１または２記載のリアクタ。
【請求項４】
前記貫通孔は、前記４つの角部にそれぞれ形成され、前記コア部の厚さ方向に延びる第１の貫通孔を含む請求項１から３のうち、いずれか一項記載のリアクタ。
【請求項５】
前記第１の貫通孔は、前記コア部に形成される前記磁束と対向する側に配置された第１の面と、前記第１の面と接続された第２の面と、前記第１の面及び前記第２の面と接続された第３の面と、をそれぞれ有する請求項４記載のリアクタ。
【請求項６】
前記第３の面は、前記第２の面と直交しており、
前記第２の面は、前記コア部の上面及び下面に対して平行となるように配置されており、
前記第３の面は、前記コア部の一対の側面に対して平行となるように配置されている請求項５記載のリアクタ。
【請求項７】
前記第１の面は、前記コア部に形成される磁束の経路に沿った湾曲面である請求項５または６記載のリアクタ。
【請求項８】
前記コア部は、コア部本体と、蓋体と、を有しており、
前記コア部本体は、前記コイル部を構成する電線が巻回される凸部であり、前記コア部の厚さ方向に延びる巻回部と、前記コア部の幅方向両側から前記巻回部を挟み込むように形成され、前記収容部となる一対のコイル収容凹部と、を有し、
前記蓋体は、前記コア部の高さ方向に形成された前記一対のコイル収容凹部の開放端を塞ぐように、前記コア部本体に固定されており、
４つの前記第１の貫通孔のうち、２つが前記コア部本体に形成されており、残りの２つが前記蓋体に形成されている請求項４から６のうち、いずれか一項記載のリアクタ。
【請求項９】
前記４つの第１の貫通孔に替えて、第２の貫通孔を有し、
前記第２の貫通孔は、前記コア部本体の中央部と、前記蓋体の中央部と、にそれぞれ形成されている請求項８記載のリアクタ。
【請求項１０】
前記貫通孔は、前記コア部の幅方向に配置された２つの前記第１の貫通孔の間に配置された第２の貫通孔を含む請求項４から８のうち、いずれか一項記載のリアクタ。
【請求項１１】
前記コア部には、２つの磁束の経路が形成されており、
前記第２の貫通孔は、正面視三角形とされており、一方の前記磁束の経路側に配置された第４の面と、前記第４の面と接続され、他方の前記磁束の経路側に配置された第５の面と、前記第４及び第５の面と接続された第６の面と、を有する請求項１０記載のリアクタ。
【請求項１２】
前記第４の面は、前記一方の磁束の経路に沿った湾曲面とされており、
前記第５の面は、前記他方の磁束の経路に沿った湾曲面とされている請求項１１記載のリアクタ。
【請求項１３】
収容部が形成されたコア部と、
前記収容部に一部が収容され、通電時において前記コア部に磁束を発生させるコイル部と、
を備え、
前記コア部は、正面視した状態で４つの角部を有する矩形とされており、
前記４つの角部のうち、少なくとも１つの角部を切り欠くことで形成された複数の凸部及び複数の凹部を有するリアクタ。
【請求項１４】
請求項１から１３のうち、いずれか一項記載のリアクタを含むインバータ用コントローラと、
前記インバータ用コントローラと電気的に接続された圧縮機と、
を含む室外機。
【発明の詳細な説明】
【技術分野】
【０００１】
本発明は、リアクタ及び室外機に関する。
【背景技術】
【０００２】
空気調和機の室外機は、圧縮機やファン等のモータを駆動するインバータ用コントローラやインバータによって発生する高周波抑制装置等を備えている。これらの装置を構成する電気部品の１つとして、リアクタがある。リアクタは、電流の高調波成分を抑制することで、高調波成分が他の電気部品に悪影響を及ぼすことを抑制する。
【０００３】
リアクタは、積層された複数の電磁鋼板で構成されたコア部と、コア部に巻回されたコイル部と、を有する。リアクタは、発熱体であるため、放熱性に優れていることが望まれている。
【０００４】
特許文献１には、コア部に突出部を設け、突出部に冷却水を流すための冷却管を配置させたリアクタ（リアクトル）や、コア部のうち、コイル部の内側に配置された部分に、冷却水を流すための冷却管を配置させたリアクタ（リアクトル）が開示されている。
【先行技術文献】
【特許文献】
【０００５】
【特許文献１】特開２００７−３３５８３３号公報
【発明の概要】
【発明が解決しようとする課題】
【０００６】
ところで、特許文献１に開示された技術のように、コア部に突出部を設け、突出部に冷却水を流すための冷却管を配置させる場合、突出部を設ける必要があるため、コア部が大型化する可能性があった。
【０００７】
一方、特許文献１に開示されたように、コア部のうち、コイル部の内側に配置された部分に、冷却水を流すための冷却管を配置させる場合、コア部の大型化を抑制することが可能となるが、冷却管、及び冷却管に冷却水を供給する設備が別途必要であった。
つまり、特許文献１に開示された技術では、コア部の大型化を抑制した上で、簡便な構成でコア部の放熱性を向上させることが困難であった。
【０００８】
そこで、本発明は、コア部の大型化を抑制した上で、簡便な構成でコア部の放熱性を向上させることの可能なリアクタ及び室外機を提供することを目的とする。
【課題を解決するための手段】
【０００９】
上記課題を解決するため、本発明の一態様に係るリアクタは、収容部が形成されたコア部と、前記収容部に一部が収容され、通電時において前記コア部に磁束を発生させるコイル部と、を備え、前記コア部の外形は、正面視した状態で４つの角部を有する矩形とされており、前記コア部には、前記磁束を構成する最大磁束密度の４０％以下の磁束密度が発生する領域を貫通する貫通孔が形成されている。
【００１０】
本発明によれば、コア部のうち、磁束を構成する最大磁束密度の４０％以下の磁束密度が発生する領域を貫通する貫通孔を形成することで、リアクタの性能に悪影響を与えることを抑制した上で、コア部を大型化させることなく、貫通孔内を流通する空気により、コア部を冷却することが可能となる。
このため、別途冷却水を供給する設備を設けることなく、簡便な構成及び手法により、コア部を冷却することが可能となる。
つまり、コア部の大型化を抑制した上で、簡便な構成でコア部の放熱性を向上させることができる。
【００１１】
また、上記本発明の一態様に係るリアクタにおいて、前記貫通孔は、空気が流れる方向に延びていてもよい。
【００１２】
このように、空気が流れる方向に貫通孔が延びることで、貫通孔内に空気が流入しやすくなるため、コア部の放熱性を高めることができる。
【００１３】
また、上記本発明の一態様に係るリアクタにおいて、前記貫通孔の内側には、複数の凹凸が形成されていてもよい。
【００１４】
このように、貫通孔の内側に複数の凹凸を形成することで、複数の凹凸を構成する複数の凸部が放熱フィンとして機能する。これにより、コア部の放熱性をさらに向上させることができる。
【００１５】
また、上記本発明の一態様に係るリアクタにおいて、前記貫通孔は、前記４つの角部にそれぞれ形成され、前記コア部の厚さ方向に延びる第１の貫通孔を含んでもよい。
【００１６】
このように、コア部の４つの角部に第１の貫通孔を形成することで、磁束を構成する最大磁束密度の４０以下の磁束密度が発生する領域に第１の貫通孔を形成することが可能となる。これにより、リアクタの性能に悪影響を与えることを抑制できる。
【００１７】
また、上記本発明の一態様に係るリアクタにおいて、前記第１の貫通孔は、前記コア部に形成される前記磁束と対向する側に配置された第１の面と、前記第１の面と接続された第２の面と、前記第１の面及び前記第２の面と接続された第３の面と、をそれぞれ有してもよい。
【００１８】
このように、第１の貫通部が、コア部に形成される磁束と対向する側に配置された第１の面と、第１の面と接続された第２の面と、第１の面及び第２の面と接続された第３の面と、を有することで、１つの面だけでなく、３つの面（第１乃至第３の面）に空気を接触させることが可能となる。これにより、コア部の放熱性を高めることができる。
【００１９】
また、上記本発明の一態様に係るリアクタにおいて、前記第３の面は、前記第２の面と直交しており、前記第２の面は、前記コア部の上面及び下面に対して平行となるように配置されており、前記第３の面は、前記コア部の一対の側面に対して平行となるように配置されていてもよい。
【００２０】
このように、第２の面と第３の面とが直交するとともに、第２の面をコア部の上面及び下面に対して平行とし、さらに、第３の面をコア部の一対の側面に対して平行にすることで、正面視した状態において第１の貫通孔の形状を直角三角形にすることが可能となる。このように、第１の貫通孔の形状を直角三角形にすることで、直角三角形の直角部分をコア部の角部に近接させて配置することが可能となる。これにより、コア部の幅方向及び高さ方向のサイズを大型化させることなく、第１の貫通孔を形成することができる。
【００２１】
また、上記本発明の一態様に係るリアクタにおいて、前記第１の面は、前記コア部に形成される磁束の経路に沿った湾曲面であってもよい。
【００２２】
このように、第１の面をコア部に形成される磁束の経路に沿った湾曲面とすることで、最大磁束密度の４０％以下の領域で、かつ磁束に近い部分に、第１の貫通孔を配置させることが可能となる。これにより、コア部の高さ方向及び幅方向のサイズの小型化を図ることができる。
【００２３】
また、上記本発明の一態様に係るリアクタにおいて、前記コア部は、コア部本体と、蓋体と、を有しており、前記コア部本体は、前記コイル部を構成する電線が巻回される凸部であり、前記コア部の厚さ方向に延びる巻回部と、前記コア部の幅方向両側から前記巻回部を挟み込むように形成され、前記収容部となる一対のコイル収容凹部と、を有し、前記蓋体は、前記コア部の高さ方向に形成された前記一対のコイル収容凹部の開放端を塞ぐように、前記コア部本体に固定されており、４つの前記第１の貫通孔のうち、２つが前記コア部本体に形成されており、残りの２つが前記蓋体に形成されていてもよい。
【００２４】
このように、４つの第１の貫通孔のうち、２つをコア部本体に形成し、残りの２つを蓋体に形成することで、コア部本体及び蓋体の放熱性を向上させることができる。
【００２５】
また、上記本発明の一態様に係るリアクタにおいて、前記４つの第１の貫通孔に替えて、第２の貫通孔を有し、前記第２の貫通孔は、前記コア部本体の中央部と、前記蓋体の中央部と、にそれぞれ形成されていてもよい。
【００２６】
このように、第１の貫通孔に替えて、第２の貫通孔を有することで、第１の貫通孔を形成した場合と同様な効果を得ることができる。具体的には、コア部の大型化を抑制した上で、簡便な構成でコア部の放熱性を向上させることができる。
【００２７】
また、上記本発明の一態様に係るリアクタにおいて、前記貫通孔は、前記コア部の幅方向に配置された２つの前記第１の貫通孔の間に配置された第２の貫通孔を含んでもよい。
【００２８】
このように、コア部の幅方向に配置された２つの第１の貫通孔の間に配置された第２の貫通孔を有することで、さらにコア部の放熱性を向上させることができる。
【００２９】
また、上記本発明の一態様に係るリアクタにおいて、前記コア部には、２つの磁束の経路が形成されており、前記第２の貫通孔は、正面視三角形とされており、一方の前記磁束の経路側に配置された第４の面と、前記第４の面と接続され、他方の前記磁束の経路側に配置された第５の面と、前記第４及び第５の面と接続された第６の面と、を有してもよい。
【００３０】
このように、第２の貫通孔が３つの面（第４〜第６の面）を有することで、１つの面だけでなく、３つの面に空気を接触させることが可能となる。これにより、リアクタの放熱性を向上させることができる。
【００３１】
また、上記本発明の一態様に係るリアクタにおいて、前記第４の面は、前記一方の磁束の経路に沿った湾曲面とされており、前記第５の面は、前記他方の磁束の経路に沿った湾曲面とされていてもよい。
【００３２】
このように、第４の面を一方の磁束の経路に沿った湾曲面にするとともに、第５の面を他方の磁束の経路に沿った湾曲面とすることで、４０％以下の磁束密度が発生する領域で、かつ磁束に近い部分に、第１の貫通孔を配置させることが可能となる。これにより、コア部の高さ方向及び幅方向のサイズの小型化を図ることができる。
【００３３】
また、上記本発明の一態様に係るリアクタにおいて、収容部が形成されたコア部と、前記収容部に一部が収容され、通電時において前記コア部に磁束を発生させるコイル部と、を備え、前記コア部は、正面視した状態で４つの角部を有する矩形とされており、前記４つの角部のうち、少なくとも１つの角部を切り欠くことで形成された複数の凸部及び複数の凹部を有してもよい。
【００３４】
このように、コア部の４つの角部のうち、少なくとも１つの角部を切り欠くことで形成された複数の凸部及び凹部を有することで、コア部を大型化させることなく、複数の凸部を放熱フィンとして機能させることが可能となる。これにより、コア部の放熱性を向上させることができる。
【００３５】
上記課題を解決するため、本発明の一態様に係る室外機は、上記リアクタを含むインバータ用コントローラと、前記インバータ用コントローラと電気的に接続された圧縮機と、を含んでもよい。
【００３６】
このように、室外機に放熱性能に優れたリアクタを設けることで、インバータ用コントローラ内の温度上昇抑制に寄与すると共に、リアクタ自身の小型化が可能となるので、設置自由度を向上させることができる。
【発明の効果】
【００３７】
本発明によれば、コア部の大型化を抑制した上で、簡便な構成でコア部の放熱性を向上させることができる。
【図面の簡単な説明】
【００３８】
【図１】本発明の第１の実施形態に係る室外機の概略構成を示す斜視図である。
【図２】図１に示すリアクタの正面図である。
【図３】図２に示すリアクタから蓋体を取り除いた構造体（コア部及びコイル部）の上面図である。
【図４】図３に示す構造体からコイル部を除いたコア部の上面図である。
【図５】図４に示すコア部の正面図である。
【図６】図４に示すコア部を構成するコア用電磁鋼板の正面図である。
【図７】図２に示す蓋体を構成する蓋体用電磁鋼板の正面図である。
【図８】本発明の第１の実施形態の変形例に係るリアクタを示す正面図である。
【図９】本発明の第２の実施形態に係るリアクタを示す正面図である。
【図１０】図９に示すリアクタのうち、領域Ｄで囲まれた部分を拡大した図である。
【図１１】本発明の第３の実施形態に係るリアクタの正面図である。
【発明を実施するための形態】
【００３９】
（第１の実施形態）
図１を参照して、本発明の第１の実施形態に係る室外機１０について説明する。
室外機１０は、機械室１２と、筐体１４と、熱交換器１６と、複数のファン２１と、を有する。
【００４０】
機械室１２は、筐体２２と、圧縮機２４と、リアクタ３０を含むインバータ用コントローラ２７と、水熱交換器（図示せず）と、水配管（図示せず）と、膨張弁（図示せず）と、冷媒配管（図示せず）と、水循環ポンプ（図示せず）と、を有する。
【００４１】
筐体２２は、圧縮機２４、インバータ用コントローラ２７、水熱交換器、膨張弁、冷媒配管、水配管、及び水循環ポンプを収容している。
【００４２】
圧縮機２４は、冷媒配管を介して、四方切換え弁、水熱交換器、及び膨張弁と接続されている。圧縮機２４は、モータを有する。圧縮機２４は、上記モータの回転数を制御することで、冷媒配管に吐出する冷媒の量を調整する。圧縮機２４は、リアクタ３０と電気的に接続されている。
【００４３】
インバータ用コントローラ２７は、リアクタ３０の他に、コンバータ、電解コンデンサ、及びインバータ（全て図示せず）を含む。インバータ用コントローラ２７は、圧縮機２４のモータと電気的に接続されている。
【００４４】
図２〜図７を参照して、リアクタ３０について説明する。図２において、Ａ１はコイル部３３に通電した際にコア部３１に発生する一方の磁束の経路（以下、「磁束経路Ａ１」という）、Ａ２はコイル部３３に通電した際にコア部３１に発生する他方の磁束の経路（以下、「磁束経路Ａ２」という）をそれぞれ示している。
図２において、Ｂ１はコア部３１の角部３１Ａ（コア部本体３４の角部３４Ｃ）のうち、最大磁束密度Ｍｍａｘの４０％以下となる領域（以下、「低磁束密度領域Ｂ１」という）、Ｂ２はコア部３１の角部３１Ｂ（コア部本体３４の角部３４Ｄ）のうち、最大磁束密度Ｍｍａｘの４０％以下となる領域（以下、「低磁束密度領域Ｂ２」という）、Ｂ３は角部３４Ｃと角部３４Ｄとの間に位置するコア部本体３４のうち、最大磁束密度Ｍｍａｘの４０％以下となる領域（以下、「低磁束密度領域Ｂ３」という）をそれぞれ示している。
【００４５】
図２において、Ｃ１はコア部３１の角部３１Ｃ（蓋体３５の角部３５Ａ）のうち、最大磁束密度Ｍｍａｘの４０％以下となる領域（以下、「低磁束密度領域Ｃ１」という）、Ｃ２はコア部３１の角部３１Ｄ（蓋体３５の角部３５Ｂ）のうち、最大磁束密度Ｍｍａｘの４０％以下となる領域（以下、「低磁束密度領域Ｃ２」という）、Ｃ３は角部３５Ａと角部３５Ｂとの間に位置する蓋体３５のうち、最大磁束密度Ｍｍａｘの４０％以下となる領域（以下、「低磁束密度領域Ｃ３」という）をそれぞれ示している。
図２及び図３では、電線を巻回することで構成されるコイル部３３を簡略化して図示する。
【００４６】
図６において、Ｏ１はコア用電磁鋼板３７の中心線（以下、「中心線Ｏ１」という）、Ｗ１は第２の部分４７の幅（以下、「幅Ｗ１」という）、Ｗ２は第２の部分４８の幅（以下、「幅Ｗ２」という）、第１の凹部５１の幅（以下、「幅Ｗ３」という）、第２の凹部５２の幅（以下、「幅Ｗ４」という）をそれぞれ示している。
図２〜図７において、Ｘ方向は、コア部３１の幅方向（コア部本体３４の幅方向、及び蓋体３５の幅方向）を示している。
図２、図５、図６、及び図７において、Ｚ方向は、Ｘ方向に対して直交するコア部３１の高さ方向（コア部本体３４の高さ方向、及び蓋体３５の高さ方向）を示している。
図３及び図４において、Ｙ方向は、コア部３１の厚さ方向（コア部本体３４の厚さ方向、及び蓋体３５の厚さ方向）を示している。
図２〜図７において、図１〜図７に示す構造体と同一構成部分には、同一符号を付す。
【００４７】
リアクタ３０は、コア部３１と、コイル部３３と、を有する。
コア部３１は、正面視した状態で、４つの角部３１Ａ〜３１Ｄを有する。コア部３１は、コア部本体３４と、蓋体３５と、を有する。
【００４８】
コア部本体３４は、Ｙ方向に複数のコア用電磁鋼板３７が積層された構成とされており、コイル収容凹部３４Ａ，３４Ｂ（一対のコイル収容凹部）と、巻回部３８と、貫通孔を構成する第１の貫通孔３９，４０及び第２の貫通孔４３と、を有する。
【００４９】
コア用電磁鋼板３７は、連結部４５と、第１の部分４６と、第２の部分４７と、第３の部分４８と、第１の凹部５１と、第２の凹部５２と、開口部５３〜５５と、を有する。
【００５０】
連結部４５は、Ｘ方向に延びる矩形の板部である。連結部４５は、Ｚ方向一方側に配置され、Ｘ方向に延びる面４５ａと、角部３４Ｃと、角部３４Ｄと、を有する。
角部３４Ｃは、Ｘ方向一方側に配置されており、コア部３１の角部３１Ａの一部を構成している。角部３４Ｄは、Ｘ方向他方側に配置されており、コア部３１の角部３１Ｂの一部を構成している。
【００５１】
第１の部分４６は、連結部４５の中央部の面４５ａに設けられている。第１の部分４６は、連結部４５の面４５ａからＺ方向一方側に延びた矩形の板部である。第１の部分４６の中心線Ｏ１は、連結部４５の中心線と一致している。第１の部分４６は、連結部４５と一体に形成されている。
第１の部分４６は、Ｘ方向において第１の凹部５１と第２の凹部５２との間に挟まれている。
【００５２】
第２の部分４７は、Ｘ方向に配置された連結部４５の両端部のうち、Ｘ方向一方側に配置された端部の面４５ａに設けられている。第２の部分４７は、連結部４５の面４５ａからＺ方向一方側に延びた矩形の板部である。
面４５ａを基準としたときの、Ｚ方向における第２の部分４７の長さは、第１の部分４６の長さと等しくなるように構成されている。第２の部分４７は、第１の部分４６からＸ方向一方側に離間して配置されている。
【００５３】
第３の部分４８は、Ｘ方向に配置された連結部４５の両端部のうち、Ｘ方向他方側に配置された端部の面４５ａに設けられている。第３の部分４８は、連結部４５の面４５ａからＺ方向一方側に延びた矩形の板部である。
面４５ａを基準としたときの、Ｚ方向における第３の部分４８の長さは、第１及び第２の部分４６,４７の長さと等しくなるように構成されている。第３の部分４８は、第１の部分４６からＸ方向他方側に離間して配置されている。
第３の部分４８の幅Ｗ２は、第２の部分４７の幅Ｗ１と等しくなるように構成されている。
【００５４】
第１の凹部５１は、第１の部分４６と第２の部分４７との間に形成されている。
第２の凹部５２は、第１の部分４６と第３の部分４８との間に形成されている。第２の凹部５２の幅Ｗ４は、第１の凹部５１の幅Ｗ３と等しくなるように構成されている。
【００５５】
開口部５３は、角部３４Ｃうち、低磁束密度領域Ｂ１（最大磁束密度Ｍｍａｘの４０％以下となる領域）に対応する部分を貫通するように形成されている。開口部５３は、第１の貫通孔３９の一部を構成している。開口部５３は、面５３ａ〜５３ｃにより区画されている。
【００５６】
面５３ａは、平面とされており、磁束経路Ａ１を通過する磁束と対向する側に配置されている。面５３ａは、コア部３１の側面３１ｃ及び下面３１ｂに対して傾斜している。
面５３ｂは、コア部３１の側面３１ｃ，３１ｄに対して平行な平面であり、面５３ａの形成位置よりも外側に配置されている。面５３ｂの一端は、面５３ａの一端と接続されている。
面５３ｃは、コア部３１の上面３１ａ及び下面３１ｂに対して平行な平面である。面５３ｃは、一端が面５３ｂの他端と接続され、他端が面５３ａの他端と接続されている。面５３ｂと面５３ｃとが成す角度は、９０°とされている。つまり、面５３ｃは、面５３ｂに対して直交している。
【００５７】
これにより、正面視した状態において、開口部５３の形状は、面５３ｂと面５３ｃとが形成する角がコア部３１の角側に配置された直角三角形とされている。
【００５８】
開口部５４は、角部３４Ｄうち、低磁束密度領域Ｂ２（最大磁束密度Ｍｍａｘの４０％以下となる領域）に対応する部分を貫通するように形成されている。開口部５４は、第１の貫通孔４０の一部を構成している。開口部５４は、面５４ａ〜５４ｃにより区画されている。
【００５９】
面５４ａは、平面とされており、磁束経路Ａ２を通過する磁束と対向する側に配置されている。面５４ａは、コア部３１の側面３１ｄ及び下面３１ｂに対して傾斜している。
面５４ｂは、コア部３１の側面３１ｃ，３１ｄに対して平行な平面であり、面５４ａの形成位置よりも外側に配置されている。面５４ｂの一端は、面５４ａの一端と接続されている。
面５４ｃは、コア部３１の上面３１ａ及び下面３１ｂに対して平行な平面である。面５４ｃは、一端が面５４ｂの他端と接続され、他端が面５４ａの他端と接続されている。面５４ｂと面５４ｃとが成す角度は、９０°とされている。つまり、面５４ｃは、面５４ｂに対して直交している。
【００６０】
これにより、正面視した状態において、開口部５４の形状は、面５４ｂと面５４ｃとが形成する角がコア部３１の角側に配置された直角三角形とされている。
【００６１】
上記構成とされた開口部５３，５４は、コア用電磁鋼板３７を製造する際の打ち抜き工程において形成してもよいし、工具を用いて、複数のコア用電磁鋼板３７が積層された構造体に第１の貫通孔３９，４０を形成する際に形成してもよい。
【００６２】
開口部５５は、Ｘ方向に配置された開口部５３と開口部５４との間に位置する連結部４５のうち、低磁束密度領域Ｂ３（最大磁束密度Ｍｍａｘの４０％以下となる領域）に対応する部分を貫通するように形成されている。
開口部５５は、第２の貫通孔４３の一部を構成している。開口部５５は、面５５ａ〜５５ｃにより区画されている。
【００６３】
面５５ａは、平面とされており、磁束経路Ａ１を通過する磁束と対向する側に配置されている。面５５ａは、コア部３１の下面３１ｂに対して傾斜している。
面５５ｂは、平面とされており、磁束経路Ａ２を通過する磁束と対向する側に配置されている。面５５ｂは、面５５ａとは逆方向に傾斜している。面５５ｂの一端は、面５５ａの一端と接続されている。
【００６４】
面５５ｃは、コア部３１の上面３１ａ及び下面３１ｂに対して平行な平面である。面５５ｃは、一端が面５５ａの他端と接続されており、他端が面５５ｂの他端と接続されている。
上記構成とされた開口部５５の形状は、例えば、平面視した状態で、面５５ａと面５５ｂとの長さが等しい二等辺三角形とすることが可能である。
【００６５】
上記構成とされたコア用電磁鋼板３７は、中心線Ｏ１を対称軸とする線対称の形状とされている。
【００６６】
コイル収容凹部３４Ａは、Ｙ方向に配置された複数の第１の凹部５１により構成されている。コイル収容凹部３４Ａは、Ｘ方向一方側に配置された側面３４Ａａと、Ｘ方向他方側に配置された側面３４Ａｂと、側面３４Ａａと側面３４Ａｂとを接続する底面３４Ａｃと、で区画されている。
これにより、コイル収容凹部３４Ａは、Ｚ方向一方側の端、Ｙ方向一方側の端、及びＹ方向他方側の端が開放端とされている。
【００６７】
コイル収容凹部３４Ｂは、Ｙ方向に配置された複数の第２の凹部５２により構成されている。コイル収容凹部３４Ｂは、Ｘ方向一方側に配置された側面３４Ｂａと、Ｘ方向他方側に配置された側面３４Ｂｂと、側面３４Ｂａと側面３４Ｂｂとを接続する底面３４Ｂｃと、で区画されている。
これにより、コイル収容凹部３４Ｂは、Ｚ方向一方側の端、Ｙ方向一方側の端、及びＹ方向他方側の端が開放端とされている。
【００６８】
巻回部３８は、Ｙ方向に配置された複数の第１の部分４６により構成されている。巻回部３８には、コイル部３３を構成する電線（図示せず）が巻回されている。
【００６９】
第１の貫通孔３９は、Ｙ方向に配置された複数の開口部５３で構成されている。第１の貫通孔３９は、低磁束密度領域Ｂ１に対応するコア部３１の角部３１Ａ（コア部本体３４の角部３４Ｃ）をＹ方向に貫通するように形成されている。
このような位置に第１の貫通孔３９を形成することで、リアクタ３０の性能に悪影響を与えることを抑制できる。
なお、磁束を構成する最大磁束密度の４０％よりも大きい磁束密度の領域に第１の貫通孔３９を形成すると、リアクタ３０の性能に大きな悪影響を与えてしまう。
【００７０】
第１の貫通孔３９は、第１の面３９ａと、第２の面３９ｂと、第３の面３９ｃと、を有する。
第１の面３９ａは、Ｙ方向に配置された複数の面５３ａで構成されている。これにより、第１の面３９ａは、Ｙ方向に延びている。
第２の面３９ｂは、Ｙ方向に配置された複数の面５３ｂで構成されている。これにより、第２の面３９ｂは、Ｙ方向に延びている。
【００７１】
第３の面３９ｃは、Ｙ方向に配置された複数の面５３ｃで構成されている。これにより、第３の面３９ｃは、Ｙ方向に延びている。
上記第１乃至第３の面３９ａ〜３９ｃを有する第１の貫通孔３９の形状は、三角柱形状とされている。第１の貫通孔３９内には、コア部本体３４を冷却するための空気が流通する。
【００７２】
このような構成とされた第１の貫通孔３９をコア部本体３４の角部３４Ｃに形成することで、第１の貫通孔３９内に空気を流通させて、３つの面（第１乃至第３の面３９ａ〜３９ｃ）に空気を接触させることで、コア部本体３４の熱を放熱させることが可能となる。
これにより、コア部３１を構成するコア部本体３４を大型化させることなく、コア部本体３４の放熱性を向上させることができる。
【００７３】
また、複数の面５３ａ〜５３ｃを用いて、第１の貫通孔３９を構成することで、平面視した状態で第１の貫通孔３９の形状を直角三角形とすることが可能となる。
このように、第１の貫通孔３９の形状を平面視直角三角形にすることで、第１の貫通孔３９の直角部をコア部３１の角に近接させて配置することが可能となる。これにより、コア部３１のＸ方向及びＺ方向のサイズを大型化させることなく、第１の貫通孔３９を形成することができる。
【００７４】
第１の貫通孔４０は、Ｙ方向に配置された複数の開口部５４で構成されている。第１の貫通孔４０は、低磁束密度領域Ｂ２に対応するコア部３１の角部３１Ｂ（コア部本体３４の角部３４Ｄ）をＹ方向に貫通するように形成されている。
このような位置に第１の貫通孔４０を形成することで、リアクタ３０の性能に悪影響を与えることを抑制できる。
【００７５】
第１の貫通孔４０は、第１の面４０ａと、第２の面４０ｂと、第３の面４０ｃと、を有する。
第１の面４０ａは、Ｙ方向に配置された複数の面５４ａで構成されている。これにより、第１の面４０ａは、Ｙ方向に延びている。
第２の面４０ｂは、Ｙ方向に配置された複数の面５４ｂで構成されている。これにより、第２の面４０ｂは、Ｙ方向に延びている。
【００７６】
第３の面４０ｃは、Ｙ方向に配置された複数の面５４ｃで構成されている。これにより、第３の面４０ｃは、Ｙ方向に延びている。
上記第１乃至第３の面４０ａ〜４０ｃを有する第１の貫通孔４０の形状は、三角柱形状とされるとともに、平面視直角三角形とされている。第１の貫通孔４０内には、コア部本体３４を冷却するための空気が流通する。
【００７７】
このような構成とされた第１の貫通孔４０をコア部本体３４の角部３４Ｄに形成することで、先に説明した第１の貫通孔３９と同様な効果を得ることができる。
【００７８】
第２の貫通孔４３は、Ｙ方向に配置された複数の開口部５５で構成されている。第２の貫通孔４３は、低磁束密度領域Ｂ３に対応するコア部本体３４をＹ方向に貫通するように形成されている。このような位置に第２の貫通孔４３を形成することで、リアクタ３０の性能に悪影響を与えることを抑制できる。
【００７９】
第２の貫通孔４３は、第４の面４３ａと、第５の面４３ｂと、第６の面４３ｃと、を有する。
第４の面４３ａは、Ｙ方向に配置された複数の面５５ａで構成されている。これにより、第４の面４３ａは、Ｙ方向に延びている。
【００８０】
第５の面４３ｂは、Ｙ方向に配置された複数の面５５ｂで構成されている。これにより、第５の面４３ｂは、Ｙ方向に延びている。
第６の面４３ｃは、Ｙ方向に配置された複数の面５５ｃで構成されている。これにより、第６の面４３ｃは、Ｙ方向に延びている。
上記構成とされた第２の貫通孔４３の形状は、三角柱形状とされている。第２の貫通孔４３内には、コア部本体３４を冷却するための空気が流通する。
【００８１】
このように、上述した第１の貫通孔３９，４０の他に、上記構成とされた第２の貫通孔４３を有することで、コア部３１を構成するコア部本体３４を大型化させることなく、コア部本体３４の放熱性をさらに向上させることができる。
また、第２の貫通孔４３の形状を三角柱形状とすることで、磁束経路Ａ１に近接させて第４の面４３ａを配置させることが可能になるとともに、磁束経路Ａ２に近接させて第５の面４３ｂを配置させることが可能となる。これにより、コア部本体３４の放熱性をさらに向上させることができる。
【００８２】
蓋体３５は、Ｚ方向一方側に配置された一対のコイル収容凹部３４Ａ，３４Ｂの開放端を塞ぐように、コア部本体３４に固定されている。
蓋体３５は、Ｙ方向に複数の蓋体用電磁鋼板５６が積層された構成とされており、角部３５Ａと、角部３５Ｂと、貫通孔を構成する第１の貫通孔４１，４２及び第２の貫通孔４４と、を有する。
【００８３】
角部３５Ａは、蓋体３５のＸ方向一方側に配置されており、コア部３１の角部３１Ｃを構成している。
角部３５Ｂは、蓋体３５のＸ方向他方側に配置されており、コア部３１の角部３１Ｄを構成している。
【００８４】
蓋体用電磁鋼板５６は、Ｘ方向を長手方向とする外形が矩形とされた板材である。蓋体用電磁鋼板５６は、開口部６１〜６３と、を有する。
【００８５】
開口部６１は、低磁束密度領域Ｃ１（最大磁束密度Ｍｍａｘの４０％以下となる領域）に対応する部分を貫通するように形成されている。開口部６１は、第１の貫通孔４１の一部を構成している。開口部６１は、面６１ａ〜６１ｃにより区画されている。
【００８６】
面６１ａは、平面とされており、磁束経路Ａ１を通過する磁束と対向する側に配置されている。面６１ａは、コア部３１の上面３１ａ及び側面３１ｃに対して傾斜している。
面６１ｂは、コア部３１の側面３１ｃ，３１ｄに対して平行な平面であり、面６１ａの形成位置よりも外側に配置されている。面６１ｂの一端は、面６１ａの一端と接続されている。
面６１ｃは、コア部３１の上面３１ａ及び下面３１ｂに対して平行な平面である。面６１ｃは、一端が面６１ｂの他端と接続され、他端が面６１ａの他端と接続されている。面６１ｂと面６１ｃとが成す角度は、９０°とされている。つまり、面６１ｃは、面６１ｂに対して直交している。
【００８７】
これにより、正面視した状態において、開口部６１の形状は、面６１ｂと面６１ｃとが形成する角がコア部３１の角側に配置された直角三角形とされている。
【００８８】
開口部６２は、角部３５Ｂうち、低磁束密度領域Ｃ２（最大磁束密度Ｍｍａｘの４０％以下となる領域）に対応する部分を貫通するように形成されている。開口部６２は、第１の貫通孔４２の一部を構成している。開口部６２は、面６２ａ〜６２ｃにより区画されている。
【００８９】
面６２ａは、平面とされており、磁束経路Ａ２を通過する磁束と対向する側に配置されている。面６２ａは、コア部３１の上面３１ａ及び側面３１ｄに対して傾斜している。
面６２ｂは、コア部３１の側面３１ｄに対して平行な平面であり、面６２ａの形成位置よりも外側に配置されている。面６２ｂの一端は、面６２ａの一端と接続されている。
面６２ｃは、コア部３１の上面３１ａに対して平行な平面である。面６２ｃは、一端が面６２ｂの他端と接続され、他端が面６２ａの他端と接続されている。面６２ｂと面６２ｃとが成す角度は、９０°とされている。つまり、面６２ｃは、面６２ｂに対して直交している。
【００９０】
これにより、正面視した状態において、開口部６２の形状は、面６２ｂと面６２ｃとが形成する角がコア部３１の角側に配置された直角三角形とされている。
【００９１】
開口部６３は、Ｘ方向に配置された開口部６１と開口部６２との間に位置する低磁束密度領域Ｃ３（最大磁束密度Ｍｍａｘの４０％以下となる領域）に対応する部分を貫通するように形成されている。
開口部６３は、第２の貫通孔４４の一部を構成している。開口部６３は、面６３ａ〜６３ｃにより区画されている。
【００９２】
面６３ａは、平面とされており、磁束経路Ａ１を通過する磁束と対向する側に配置されている。面６３ａは、コア部３１の上面３１ａ及び側面３１ｃに対して傾斜している。
面６３ｂは、平面とされており、磁束経路Ａ２を通過する磁束と対向する側に配置されている。面６３ｂは、面６３ａとは逆方向に傾斜している。面６３ｂの一端は、面６３ａの一端と接続されている。
【００９３】
面６３ｃは、コア部３１の上面３１ａ及び下面３１ｂに対して平行な平面である。面６３ｃは、一端が面６３ａの他端と接続されており、他端が面６３ｂの他端と接続されている。
上記構成とされた開口部６３の形状は、例えば、平面視した状態で、面６３ａと面６３ｂとの長さが等しい二等辺三角形とすることが可能である。
【００９４】
第１の貫通孔４１は、Ｙ方向に配置された複数の開口部６１で構成されている。第１の貫通孔４１は、低磁束密度領域Ｃ１に対応するコア部３１の角部３１Ｃ（蓋体３５のＸ方向一方側の端部）をＹ方向に貫通するように形成されている。
このような位置に第１の貫通孔４１を形成することで、リアクタ３０の性能に悪影響を与えることを抑制できる。
【００９５】
第１の貫通孔４１は、第１の面４１ａと、第２の面４１ｂと、第３の面４１ｃと、を有する。
第１の面４１ａは、Ｙ方向に配置された複数の面６１ａで構成されている。これにより、第１の面４１ａは、Ｙ方向に延びている。
第２の面４１ｂは、Ｙ方向に配置された複数の面６１ｂで構成されている。これにより、第２の面４１ｂは、Ｙ方向に延びている。
【００９６】
第３の面４１ｃは、Ｙ方向に配置された複数の面６１ｃで構成されている。これにより、第３の面４１ｃは、Ｙ方向に延びている。
上記第１乃至第３の面４１ａ〜４１ｃを有する第１の貫通孔４１の形状は、三角柱形状とされるとともに、平面視直角三角形とされている。第１の貫通孔４１内には、蓋体３５を冷却するための空気が流通する。
【００９７】
このような構成とされた第１の貫通孔４１をコア部３１の角部３１Ｃ（蓋体３５のＸ方向一方側の端部）に形成することで、第１の貫通孔４１内に空気を流通させて、３つの面（第１乃至第３の面４１ａ〜４１ｃ）に空気を接触させることで、蓋体３５の熱を放熱させることが可能となる。
これにより、コア部３１を構成する蓋体３５を大型化させることなく、蓋体３５の放熱性を向上させることができる。
【００９８】
また、第１の貫通孔４１の形状を正面視直角三角形にすることで、第１の貫通孔４１の直角部をコア部３１の角に近接させて配置することが可能となる。これにより、コア部３１のＸ方向及びＺ方向のサイズを大型化させることなく、第１の貫通孔４１を形成することができる。
【００９９】
第１の貫通孔４２は、Ｙ方向に配置された複数の開口部６２で構成されている。第１の貫通孔４２は、低磁束密度領域Ｃ２に対応するコア部３１の角部３１Ｃ（蓋体３５のＸ方向一方側の端部）をＹ方向に貫通するように形成されている。
このような位置に第１の貫通孔４２を形成することで、リアクタ３０の性能に悪影響を与えることを抑制できる。
【０１００】
第１の貫通孔４２は、第１の面４２ａと、第２の面４２ｂと、第３の面４２ｃと、を有する。
第１の面４２ａは、Ｙ方向に配置された複数の面６１ａで構成されている。これにより、第１の面４２ａは、Ｙ方向に延びている。
第２の面４２ｂは、Ｙ方向に配置された複数の面６１ｂで構成されている。これにより、第２の面４２ｂは、Ｙ方向に延びている。
【０１０１】
第３の面４２ｃは、Ｙ方向に配置された複数の面６１ｃで構成されている。これにより、第３の面４２ｃは、Ｙ方向に延びている。
上記第１乃至第３の面４２ａ〜４２ｃを有する第１の貫通孔４２の形状は、三角柱形状とされている。第１の貫通孔４２内には、蓋体３５を冷却するための空気が流通する。
【０１０２】
このような構成とされた第１の貫通孔４２を有することで、先に説明した第１の貫通孔４１と同様な効果を得ることができる。
【０１０３】
第２の貫通孔４４は、Ｙ方向に配置された複数の開口部６２で構成されている。第２の貫通孔４４は、低磁束密度領域Ｃ３に対応する蓋体３５をＹ方向に貫通するように形成されている。
このような位置に第２の貫通孔４４を形成することで、リアクタ３０の性能に悪影響を与えることを抑制できる。
【０１０４】
第２の貫通孔４４は、第４の面４４ａと、第５の面４４ｂと、第６の面４４ｃと、を有する。
第４の面４４ａは、Ｙ方向に配置された複数の面６３ａで構成されている。これにより、第４の面４４ａは、Ｙ方向に延びている。
【０１０５】
第５の面４４ｂは、Ｙ方向に配置された複数の面６３ｂで構成されている。これにより、第５の面４４ｂは、Ｙ方向に延びている。
第６の面４４ｃは、Ｙ方向に配置された複数の面６３ｃで構成されている。これにより、第６の面４４ｃは、Ｙ方向に延びている。
上記構成とされた第２の貫通孔４４の形状は、三角柱形状とされている。第２の貫通孔４４内には、蓋体３５を冷却するための空気が流通する。
【０１０６】
このように、上述した第１の貫通孔４１，４２の他に、上記構成とされた第２の貫通孔４４を有することで、コア部３１を構成する蓋体３５を大型化させることなく、蓋体３５の放熱性をさらに向上させることができる。
また、第２の貫通孔４４の形状を三角柱形状とすることで、磁束経路Ａ１に近接させて第４の面４４ａを配置させることが可能になるとともに、磁束経路Ａ２に近接させて第５の面４４ｂを配置させることが可能となる。これにより、蓋体３５の放熱性をさらに向上させることができる。
【０１０７】
コイル部３３は、リング形状とされており、一部がコイル収容凹部３４Ａ，３４Ｂに収容されている。コイル部３３の残部は、コア部本体３４からＹ方向一方側及びＹ方向他方側に突出している。
【０１０８】
次に、水熱交換器（図示せず）、水配管（図示せず）、膨張弁（図示せず）、冷媒配管（図示せず）、及び水循環ポンプ（図示せず）について説明する。
水熱交換器は、冷媒配管を流れる冷媒と、水配管を流れる水と、を熱交換させる。
水配管は、室外機１０の外部から水熱交換器に水を供給する第１の水配管（図示せず）と、水熱交換器の水を室外機１０の外部に排出する第２の水配管（図示せず）と、を有する。
膨張弁は、熱交換器１６と接続されている。水循環ポンプは、水熱交換器に水を供給する。
室外機１０は、四方切換え弁を切り替えることで、冷房運転と暖房運転との両方の運転を行う。
【０１０９】
筐体１４は、機械室１２上に設けられている。筐体１４は、外気吸込み口１４Ｂが形成された側壁１４Ａと、天板１４Ｃに形成された複数の開口部１４Ｄと、を有する。
外気吸込み口１４Ｂは、筐体１４内に外気を取り込む際に使用される。
複数の開口部１４Ｄは、筐体１４内に吸い込まれ、熱交換に寄与した外気を筐体１４の外に導出するための開口部である。
【０１１０】
熱交換器１６は、筐体１４内に収容されている。熱交換器１６は、空気式の熱交換器である。
熱交換器１６は、外気吸込み口１４Ｂを介して吸い込まれた外気（空気）と接触可能で、かつ圧縮機２４と接続された複数の伝熱チューブを有する。
複数の伝熱チューブ内には、圧縮機２４から供給された冷媒が流れている。熱交換器１６では、複数の伝熱チューブ内を流れる冷媒と外気とが熱交換する。
【０１１１】
複数のファン２１は、各開口部１４Ｄの下方に配置されている。複数のファン２１は、室外機１０の高さ方向に対して１つの開口部１４Ｄと対向している。複数のファン２１は、筐体１４内に外気を吸い込ませるとともに、熱交換した外気を筐体１４の外部に排出させる。
【０１１２】
第１の実施形態のリアクタ３０によれば、コア部３１のうち、磁束を構成する最大磁束密度Ｍｍａｘの４０％以下の磁束密度が発生する領域を貫通する第１の貫通孔３９〜４２及び第２の貫通孔４３，４４を有することで、リアクタ３０の性能に悪影響を与えることを抑制した上で、コア部３１を大型化させることなく、第１の貫通孔３９〜４２内及び第２の貫通孔４３，４４内を流通する空気により、コア部３１を冷却することが可能となるため、別途冷却水を供給する設備等を設ける必要がなくなる。
したがって、コア部３１の大型化を抑制した上で、簡便な構成でコア部３１の放熱性を向上させることができる。
【０１１３】
さらに、コア部３１に第１の貫通孔３９〜４２及び第２の貫通孔４３，４４を形成することで、コア部３１の軽量化を図ることができる。
【０１１４】
また、第１及び第２の貫通孔３９〜４２，４３，４４は、筐体２２内にリアクタ３０が取り付けられた状態において、空気が流れる方向（例えば、送風機により発生する空気の流れ方向）に延びるように形成するとよい。
【０１１５】
このように、空気が流れる方向（例えば、人工的に形成した空気の流れ方向）に延びるように、第１及び第２の貫通孔３９〜４２，４３，４４を形成することで、第１及び第２の貫通孔３９〜４２，４３，４４内に空気が流入しやすくなるため、コア部３１の放熱性を高めることができる。
【０１１６】
なお、上述した第１及び第２の貫通孔３９〜４２，４３，４４は、例えば、コア用電磁鋼板３７を形成する際に開口部５３〜５５を形成し、蓋体用電磁鋼板５６を形成する際に開口部６２〜６４を形成することで構成してもよい。
或いは、例えば、開口部５３〜５５，６２〜６４が形成されていない状態で、かつコイル部３３の一部を収容したコア部３１を準備し、切削工具を用いて、第１及び第２の貫通孔３９〜４２，４３，４４を形成してもよい。
【０１１７】
また、室外機１０の機械室１２に放熱性能に優れたリアクタ３０を設けることで、インバータ用コントローラ２７の温度上昇抑制に寄与すると共に、リアクタ３０自身の小型化が可能となるので、設置自由度を向上させることができる。
【０１１８】
なお、第１の実施形態では、一例として、第１及び第２の貫通孔３９〜４２，４３，４４を形成した場合を例に挙げて説明したが、第１の貫通孔３９〜４２のみを形成してもよいし、第２の貫通孔４３，４４のみを形成してもよい。このような構成とされたリアクタは、第１の実施形態のリアクタ３０と同様な効果を得ることができる。
【０１１９】
ここで、図８を参照して、第１の実施形態の変形例に係るリアクタ７０について説明する。図８において、図２〜図７に示す構造体と同一構成部分には、同一符号を付す。
【０１２０】
リアクタ７０は、第１の実施形態のリアクタ３０を構成するコア部３１に替えて、コア部７１を有すること以外はリアクタ３０と同様に構成されている。
【０１２１】
コア部７１は、コア部本体７４と、蓋体７５と、を有する。
コア部本体７４は、第１の実施形態で説明したコア部本体３４を構成する第１の貫通孔３９，４０及び第２の貫通孔４３に替えて、第１の貫通孔８１，８２及び第２の貫通孔８５を有すること以外は、コア部本体３４と同様に構成されている。
【０１２２】
第１の貫通孔８１は、第１の貫通孔３９を構成する第１の面３９ａに替えて、第１の面８１ａを有すること以外は、第１の貫通孔３９と同様に構成されている。
第１の面８１ａは、磁束経路Ａ１に沿った湾曲面とされており、第２の面３９ｂと第３の面３９ｃとを接続している。
【０１２３】
このように、第１の面８１ａを磁束経路Ａ１に沿った湾曲面とすることで、最大磁束密度の４０％以下の領域で、かつ磁束に近い部分に、第１の貫通孔８１を配置させることが可能となる。これにより、Ｘ方向及びＺ方向におけるコア部の小型化を図ることができる。
【０１２４】
第１の貫通孔８２は、第１の貫通孔４０を構成する第１の面４０ａに替えて、第１の面８２ａを有すること以外は、第１の貫通孔４０と同様に構成されている。
第１の面８２ａは、磁束経路Ａ２に沿った湾曲面とされており、第２の面４０ｂと第３の面４０ｃとを接続している。
このような構成とされた第１の貫通孔８２は、先に説明した第１の貫通孔８１と同様な効果を得ることができる。
【０１２５】
第２の貫通孔８５は、第２の貫通孔４３を構成する第４の面４３ａ及び第５の面４３ｂに替えて、第４の面８５ａ及び第５の面８５ｂを有すること以外は、第２の貫通孔４３と同様に構成されている。
第４の面８５ａは、磁束経路Ａ１に沿った湾曲面とされており、第５の面８５ｂ及び第６の面４３ｃと接続されている。
第５の面８５ｂは、磁束経路Ａ２に沿った湾曲面とされており、第４の面８５ａ及び第６の面４３ｃと接続されている。
このような構成とされた第２の貫通孔８５を有することで、先に説明した第１の貫通孔８１と同様な効果を得ることができる。
【０１２６】
蓋体７５は、第１の実施形態で説明した蓋体３５を構成する第１の貫通孔４１，４２及び第２の貫通孔４４に替えて、第１の貫通孔８３，８４及び第２の貫通孔８６を有すること以外は、蓋体３５と同様に構成されている。
【０１２７】
第１の貫通孔８３は、第１の貫通孔４１を構成する第１の面４１ａに替えて、第１の面８３ａを有すること以外は、第１の貫通孔４１と同様に構成されている。
第１の面８３ａは、磁束経路Ａ１に沿った湾曲面とされており、第２の面４１ｂと第３の面４１ｃとを接続している。
【０１２８】
第１の貫通孔８４は、第１の貫通孔４２を構成する第１の面４２ａに替えて、第１の面８４ａを有すること以外は、第１の貫通孔４２と同様に構成されている。
第１の面８４ａは、磁束経路Ａ２に沿った湾曲面とされており、第２の面４２ｂと第３の面４２ｃとを接続している。
【０１２９】
第２の貫通孔８６は、第２の貫通孔４４を構成する第４の面４４ａ及び第５の面４４ｂに替えて、第４の面８６ａ及び第５の面８６ｂを有すること以外は、第２の貫通孔４４と同様に構成されている。
第４の面８６ａは、磁束経路Ａ１に沿った湾曲面とされており、第５の面８６ｂ及び第６の面４４ｃと接続されている。
第５の面８６ｂは、磁束経路Ａ２に沿った湾曲面とされており、第４の面８６ａ及び第６の面４４ｃと接続されている。
【０１３０】
上述した第１の貫通孔８３，８４及び第２の貫通孔８６を有することで、先に説明した第１の貫通孔８１，８２及び第２の貫通孔８５を有する場合と同様な効果を得ることができる。
【０１３１】
第１の実施形態の変形例に係るリアクタ７０によれば、第１の貫通孔８１，８３の第１の面８１ａ，８３ａ、及び第２の貫通孔８５，８６の第４の面８５ａ，８６ａを磁束経路Ａ１に沿った湾曲面にするとともに、第１の貫通孔８２，８４の第１の面８２ａ，８４ａ、及び第２の貫通孔８５，８６の第５の面８５ｂ，８６ｂを磁束経路Ａ２に沿った湾曲面とすることで、最大磁束密度の４０％以下の領域で、かつ磁束に近い部分に、第１の貫通孔８１〜８４及び第２の貫通孔８５，８６を配置させることが可能となる。これにより、Ｘ方向及びＺ方向におけるコア部７１の小型化を図ることができる。
【０１３２】
なお、第１の実施形態、及び第１の実施形態の変形例では、一例として、正面視三角形状とされた第1の貫通孔３９〜４２，８１〜８４及び第２の貫通孔４３，４４，８５，８６を例に挙げて説明したが、第１及び第２の貫通孔の形状は、これに限定されない。
具体的には、第１及び第２の貫通孔の正面視した形状は、例えば、円、楕円、三角形以外の多角形でもよい。
【０１３３】
（第２の実施形態）
図９及び図１０を参照して、第２の実施形態のリアクタ９０について説明する。図９において、図２に示す第１の実施形態のリアクタ３０と同一構成部分には、同一符号を付す。図１０において、図９に示す構造体と同一構成部分には、同一符号を付す。
【０１３４】
リアクタ９０は、第１の実施形態のリアクタ３０を構成するコア部３１に替えて、コア部９１を有すること以外は、リアクタ３０と同様に構成されている。
【０１３５】
コア部９１は、コア部本体９４と、蓋体９５を、を有する。
コア部本体９４は、第１の実施形態のコア部本体３４を構成する第１の貫通孔３９，４０及び第２の貫通孔４３に替えて、第１の貫通孔１０１，１０２及び第２の貫通孔１０５を有すること以外は、コア部本体３４と同様に構成されている。
【０１３６】
第１の貫通孔１０１は、内側に複数の凹凸１０７が形成されていること以外は、第１の貫通孔３９と同様な構成とされている。
複数の凹凸１０７は、複数の凸部１０７Ａと、複数の凹部１０７Ｂと、を有する。凹部は、互いに隣り合う凸部１０７Ａの間に配置されている。
このような構成とされた第１の貫通孔３９を有することで、複数の凸部１０７Ａが放熱フィンとして機能するため、コア部本体７４の放熱性を高めることができる。
【０１３７】
第１の貫通孔１０２は、内側に複数の凹凸１０７が形成されていること以外は、第１の貫通孔４０と同様な構成とされている。
第２の貫通孔１０５は、内側に複数の凹凸１０７が形成されていること以外は、第２の貫通孔４３と同様な構成とされている。
【０１３８】
蓋体９５は、第１の実施形態の蓋体３５を構成する第１の貫通孔４１，４３及び第２の貫通孔４３に替えて、第１の貫通孔１０３，１０４及び第２の貫通孔１０６を有すること以外は、蓋体３５と同様に構成されている。
【０１３９】
第１の貫通孔１０３は、内側に複数の凹凸１０７が形成されていること以外は、第１の貫通孔４１と同様な構成とされている。
第１の貫通孔１０４は、内側に複数の凹凸１０７が形成されていること以外は、第１の貫通孔４２と同様な構成とされている。
【０１４０】
第２の貫通孔１０６は、内側に複数の凹凸１０７が形成されていること以外は、第２の貫通孔４４と同様な構成とされている。
【０１４１】
上記第１の貫通孔１０１，１０２及び第２の貫通孔１０５は、複数のコア用電磁鋼板を積層させた後に、切削工具等を用いて形成してもよいし、各コア用電磁鋼板に第１の貫通孔１０１，１０２及び第２の貫通孔１０５の一部となる開口部を設けて構成してもよい。
【０１４２】
また、上記第１の貫通孔１０３，１０４及び第２の貫通孔１０６は、複数の蓋体用電磁鋼板を積層させた後に、工具等を用いて形成してもよいし、各蓋体用電磁鋼板に第１の貫通孔１０３，１０４及び第２の貫通孔１０６の一部となる開口部を設けて構成してもよい。
【０１４３】
第２の実施形態のリアクタ９０によれば、第１の貫通孔１０２〜１０４の内側、及び第２の貫通孔１０５，１０６の内側に、複数の凹凸１０７を形成することで、複数の凹凸１０７を構成する複数の凸部１０７Ａが放熱フィンとして機能するため、コア部９１の放熱性を向上させることができる。
【０１４４】
なお、第２の実施形態では、一例として、正面視三角形とされた第１の貫通孔１０２〜１０４の内側、及び第２の貫通孔１０５，１０６の内側に複数の凹凸１０７を形成させた場合を例に挙げて説明したが、正面視した形状が三角形以外の形状（例えば、円、楕円、三角形以外の多角形）とされた第１及び第２の貫通孔の内側に、複数の凹凸１０７を形成してもよい。
このような構成とされたリアクタは、第２の実施形態のリアクタ９０と同様な効果を得ることができる。
【０１４５】
（第３の実施形態）
図１１を参照して、第３の実施形態のリアクタ１１０について説明する。図１１において、図２に示す第１の実施形態のリアクタ３０と同一構成部分には、同一符号を付す。
【０１４６】
リアクタ１１０は、第１の実施形態のリアクタ３０を構成するコア部３１に替えて、コア部１１１を有すること以外は、リアクタ３０と同様に構成されている。
【０１４７】
コア部１１１は、４つの角部１１１Ａ〜１１１Ｄを有しており、コア部本体１１４と、蓋体１１５を、を有する。
コア部本体１１４は、第１の実施形態のコア部本体３４を構成する第１の貫通孔３９，４０及び第２の貫通孔４３に替えて、複数の凸部１１７及び複数の凹部１１８を有すること以外は、コア部本体３４と同様に構成されている。
複数の凸部１１７及び複数の凹部１１８は、低磁束密度領域Ｂ１，Ｂ２（つまり、コア部１１１の２つの角部１１１Ａ，１１１Ｂ）にそれぞれ形成されている。複数の凸部１１７は、放熱フィンとして機能する。
【０１４８】
蓋体１１５は、第１の実施形態の蓋体３５を構成する第１の貫通孔４１，４２及び第２の貫通孔４４に替えて、複数の凸部１１７及び複数の凹部１１８を有すること以外は、コア部本体３４と同様に構成されている。
複数の凸部１１７及び複数の凹部１１８は、低磁束密度領域Ｃ１，Ｃ２（つまり、コア部１１１の残りの２つの角部１１１Ｃ，１１１Ｄ）にそれぞれ形成されている。
【０１４９】
上述した複数の凸部１１７及び複数の凹部１１８は、正面視した状態で矩形とされたコア部１１１（複数の凸部１１７及び複数の凹部１１８が形成される前のコア部１１１）の角部１１１Ａ〜１１１Ｄ（４つの角部）を切り欠くことで形成されている。
【０１５０】
第３の実施形態のリアクタ１１０によれば、正面視した状態で矩形とされたコア部１１１の角部１１１Ａ〜１１１Ｄを切り欠くことで形成された複数の凸部１１７及び複数の凹部１１８を有することで、コア部１１１の大型化を抑制した上で、簡便な構成でコア部１１１の放熱性を向上させることができる。
【０１５１】
なお、第３の実施形態では、一例として、コア部１１１の全ての角部１１１Ａ〜１１１Ｄに複数の凸部１１７及び複数の凹部１１８を形成し場合を例に挙げて説明したが、複数の凸部１１７及び複数の凹部１１８は、角部１１１Ａ〜１１１Ｄのうち、少なくとも１つの角部に形成されていればよい。
【０１５２】
以上、本発明の好ましい実施形態について詳述したが、本発明はかかる特定の実施形態に限定されるものではなく、特許請求の範囲内に記載された本発明の要旨の範囲内において、種々の変形・変更が可能である。
【符号の説明】
【０１５３】
１０…室外機
１２…機械室
１４，２２…筐体
１４Ａ…側壁
１４Ｂ…外気吸込み口
１４Ｃ…天板
１４Ｄ，５３〜５５，６１〜６３…開口部
１６…熱交換器
２１…ファン
２４…圧縮機
２７…インバータ用コントローラ
３０，７０，９０，１１０…リアクタ
３１，７１，９１，１１１…コア部
３１ａ…上面
３１ｂ…下面
３１ｃ，３１ｄ，３４Ａａ，３４Ａｂ，３４Ｂａ，３４Ｂｂ…側面
３１Ａ〜３１Ｄ，３４Ｃ，３４Ｄ，３５Ａ，３５Ｂ，１１１Ａ〜１１１Ｄ…角部
３３…コイル部
３４，７４，９４，１１４…コア部本体
３４Ａ，３４Ｂ…コイル収容凹部
３４Ａｃ，３４Ｂｃ…底面
３５，７５，９５，１１５…蓋体
３７…コア用電磁鋼板
３８…巻回部
３９〜４２，８１〜８４，１０１〜１０４…第１の貫通孔
３９ａ，４０ａ，４１ａ，４２ａ，８１ａ，８２ａ，８３ａ，８４ａ…第１の面
３９ｂ，４０ｂ，４１ｂ，４２ｂ…第２の面
３９ｃ，４０ｃ，４１ｃ，４２ｃ…第３の面
４３，４４，８５，８６，１０５，１０６…第２の貫通孔
４３ａ，４４ａ，８５ａ，８６ａ…第４の面
４３ｂ，４４ｂ，８５ｂ，８６ｂ…第５の面
４３ｃ，４４ｃ…第６の面
４５…連結部
４５ａ，５３ａ〜５３ｃ，５４ａ〜５４ｃ，５５ａ〜５５ｃ，６１ａ〜６１ｃ，６２ａ〜６２ｃ，６３ａ〜６３ｃ…面
４６…第１の部分
４７…第２の部分
４８…第３の部分
５１…第１の凹部
５２…第２の凹部
５６…蓋体用電磁鋼板
１０７…複数の凹凸
１０７Ａ，１１７…凸部
１０７Ｂ，１１８…凹部
Ａ１，Ａ２…磁束経路
Ｂ１〜Ｂ３，Ｃ１〜Ｃ３…低磁束密度領域
Ｏ１…中心線
Ｗ１〜Ｗ４…幅
【図１】
2020068346.tif 000003
【図２】
2020068346.tif 000004
【図３】
2020068346.tif 000005
【図４】
2020068346.tif 000006
【図５】
2020068346.tif 000007
【図６】
2020068346.tif 000008
【図７】
2020068346.tif 000009
【図８】
2020068346.tif 000010
【図９】
2020068346.tif 000011
【図１０】
2020068346.tif 000012
【図１１】
2020068346.tif 000013